(57)【要約】【課題】車両の状況を考慮して、室内環境の悪化に対処可能な車室内モニタ装置を提供する。【解決手段】車室内モニタＥＣＵ１００は、駐車状態にある自車両Ｖａにおいて車室内を監視する。車室内モニタＥＣＵ１００は、車室内に残された生物Ｐを検知する生物検知部１１０と、生物Ｐにとって好ましくない車室内の環境悪化の発生を判定する環境判定部１２０とを備える。車室内モニタＥＣＵ１００は、車室内の環境悪化が判定された場合に、自車両Ｖａに搭載されたバッテリ９２の電力を利用して車室内の環境を改善させる改善処置を車載機器に実行させる環境改善部１３０を備える。車室内モニタＥＣＵ１００は、バッテリ９２の残量低下を判定する残量判定部１４０と、バッテリ９２の残量低下が判定された場合に、自車両Ｖａの周囲に駐車された他車両Ｖｂに、電力の無線送電の実施を要求する送電要求部１５０とを備える。【選択図】図１
2020128124.tif 000002
【特許請求の範囲】
【請求項１】
駐車状態にある車両（Ｖａ）において、車室内を監視する車室内モニタ装置であって、
前記車室内に残された生物（Ｐ）を検知する生物検知部（１１０）と、
前記生物にとって好ましくない前記車室内の環境悪化の発生を判定する環境判定部（１２０）と、
前記車室内の環境悪化の発生が判定された場合に、前記車両に搭載されたバッテリ（９２）の電力を利用して、前記車室内の環境を改善させる改善処置を車載機器（２０、３０、５０）に実行させる環境改善部（１３０）と、
前記バッテリの残量低下を判定する残量判定部（１４０）と、
前記バッテリの残量低下が判定された場合に、前記車両の周囲に駐車された他車両（Ｖｂ）に、電力の無線送電の実施を要求する送電要求部（１５０）と、
を備える車室内モニタ装置。
【請求項２】
駐車状態にある車両（Ｖａ）において、車室内を監視する車室内モニタ装置であって、
前記車室内に残された生物（Ｐ）を検知する生物検知部（１１０）と、
前記生物にとって好ましくない前記車室内の環境悪化の発生を判定する環境判定部（１２０）と、
前記車室内の環境悪化の発生が判定された場合に、前記車室内の環境を改善させる改善処置として、前記車両に設けられた窓を開ける作動を車載機器（３０）に実行させる環境改善部（１３０）と、
前記車両の周囲に存在する人の検知情報を取得する車外検知部（１６０）と、
を備え、
前記環境改善部は、前記車両の周囲に人が検知された場合に、前記車両の周囲に人が検知されない場合よりも、前記窓の開度を小さくする車室内モニタ装置。
【請求項３】
前記車外検知部は、前記車両の周囲に検知された人について、予め警戒不要として登録された除外条件を満たすか否かを判定し、
前記環境改善部は、前記車両の周囲に検知された人が前記除外条件を満たしている場合に、前記除外条件を満たさない人しか検知されない場合よりも、前記窓の開度を大きくする請求項２に記載の車室内モニタ装置。
【請求項４】
前記生物検知部は、前記車室内における前記生物の現在位置を特定し、
前記環境改善部は、前記車両の周囲に人が検知された場合に、前記車両に設けられた複数の窓のうちで、前記現在位置に近い一つの開度を前記現在位置から遠い他の一つの開度よりも小さくする請求項２または３に記載の車室内モニタ装置。
【請求項５】
前記環境改善部は、前記車室内の環境悪化が判定された場合に、前記車両に設けられた自動運転機能に、自律走行による日陰への移動を実行させる請求項１から請求項４のいずれか１項に記載の車室内モニタ装置。
【請求項６】
前記環境改善部は、前記車室内の環境悪化が判定された場合に、前記車両に設けられた自動運転機能に、前記車両へ無線送電が可能な充電施設（ＣＳ）の設置場所への移動を実行させる請求項１から請求項５のいずれか１項に記載の車室内モニタ装置。
【請求項７】
前記生物検知部は、前記車室内における前記生物の位置を、現在エリアとして特定し、
前記環境改善部は、前記車両に搭載された空調装置（２１）の作動により、前記現在エリアの温度を、前記現在エリア以外の温度よりも優先的に改善させる請求項１から請求項６のいずれか１項に記載の車室内モニタ装置。
【請求項８】
前記環境判定部は、前記環境改善部による前記改善処置の開始後に、前記生物の健康状態が悪化したか否かをさらに判定し、
前記環境改善部は、前記生物の健康状態の悪化が判定された場合に、前記車両の周囲の携帯端末（Ｍ）へ向けて、車載通信機（８０）から救助要請の通知を送信させる請求項１から請求項７のいずれか１項に記載の車室内モニタ装置。
【請求項９】
前記生物検知部は、前記車室内に設置されたマイク（１２）によって集音される音情報に基づき、前記生物の呼吸状態を推定し、
前記環境判定部は、前記呼吸状態に基づいて前記生物の健康状態の悪化を判定する請求項１から請求項８のいずれか１項に記載の車室内モニタ装置。
【請求項１０】
前記生物が前記車両の外部に出た場合に、前記車両から離れる前記生物の移動方向を記録する生物追跡部（１７０）をさらに備える請求項１から請求項９のいずれか１項に記載の車室内モニタ装置。
【発明の詳細な説明】
【技術分野】
【０００１】
この明細書における開示は、車室内モニタ装置に関する。
【背景技術】
【０００２】
特許文献１には、駐車された車内に人が存在している場合に、車内温度が人体に危険な危険温度に到達する可能性を推定する装置が開示されている。特許文献１に開示の装置は、車内温度が危険温度に到達する前に、人検出通報を車外に出力する、空気調和機を起動させる、窓を開放させる等、車内に残された人が危険な状態に陥らないような処置を実行する。
【先行技術文献】
【特許文献】
【０００３】
【特許文献１】特開２００２‐６３６６８号公報
【発明の概要】
【発明が解決しようとする課題】
【０００４】
特許文献１では、車内環境の悪化に対処する場合に、車内温度を除いた他の車内外の状況は、何ら考慮されていなかった。そのため、車内環境の悪化に対処する処置が、車内外の状況に起因して、継続困難となる場合や、別のリスクを誘発する場合等が想定され得た。
【０００５】
開示される目的は、車両の状況を考慮して、室内環境の悪化に対処可能な車室内モニタ装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された車室内モニタ装置のひとつは、駐車状態にある車両（Ｖａ）において、車室内を監視する車室内モニタ装置であって、車室内に残された生物（Ｐ）を検知する生物検知部（１１０）と、生物にとって好ましくない車室内の環境悪化の発生を判定する環境判定部（１２０）と、車室内の環境悪化の発生が判定された場合に、車両に搭載されたバッテリ（９２）の電力を利用して、車室内の環境を改善させる改善処置を車載機器に実行させる環境改善部（１３０）と、バッテリの残量低下を判定する残量判定部（１４０）と、バッテリの残量低下が判定された場合に、車両の周囲に駐車された他車両（Ｖｂ）に、電力の無線送電の実施を要求する送電要求部（１５０）と、を備える。
【０００８】
この開示によれば、車室内の環境を改善させる改善処置を車載機器が実行中に、車両に搭載されたバッテリの残量低下が生じた場合、車両の周囲に駐車された他車両に、電力の無線送電の実施が要求される。故に、環境改善部は、バッテリの残量が低下しても、他車両より送電される電力を利用して、車載機器に改善処置を継続させることができる。したがって、車室内モニタ装置は、車両の状況を考慮しつつ、室内環境の悪化に対処可能となる。
【０００９】
開示された車室内モニタ装置のひとつは、駐車状態にある車両（Ｖａ）において、車室内を監視する車室内モニタ装置であって、車室内に残された生物（Ｐ）を検知する生物検知部（１１０）と、生物にとって好ましくない車室内の環境悪化の発生を判定する環境判定部（１２０）と、車室内の環境悪化の発生が判定された場合に、車室内の環境を改善させる改善処置として、車両に設けられた窓を開ける作動を車載機器に実行させる環境改善部（１３０）と、車両の周囲に存在する人の検知情報を取得する車外検知部（１６０）と、を備え、環境改善部は、車両の周囲に人が検知された場合に、車両の周囲に人が検知されない場合よりも、窓の開度を小さくする。
【００１０】
この開示によれば、車両に設けられた窓を開ける作動を車載機器に実行させるに際し、車両の周囲に人の存在が検知された場合には、検知されない場合よりも窓の開度が小さくされる。故に、車室内の環境を改善させるため、車両の窓を開けたとしても、車室内の生物が連れ去られるリスクが軽減され得る。したがって、車室内モニタ装置は、車両の状況を考慮しつつ、室内環境の悪化に対処可能となる。
【図面の簡単な説明】
【００１１】
【図１】第１実施形態に係る車室内モニタ装置を含むシステムのブロック図である。
【図２】車室内モニタＥＣＵの実行する処理の一例を示すフローチャートである。
【図３】車室内モニタＥＣＵの実行する処理の一例を示すフローチャートである。
【図４】車室内モニタＥＣＵの実行する処理の一例を示すフローチャートである。
【図５】第２実施形態に係る車室内モニタ装置を含むシステムのブロック図である。
【図６】車室内モニタＥＣＵの実行する処理の一例を示すフローチャートである。
【図７】車室内モニタＥＣＵの実行する処理の一例を示すフローチャートである。
【発明を実施するための形態】
【００１２】
（第１実施形態）
第１実施形態の車室内モニタ装置について、図１〜図４を参照しながら説明する。車室内モニタ装置は、自車両Ｖａに搭載されたコンピュータである車室内モニタＥＣＵ１００によって提供される。車室内モニタＥＣＵ１００は、特に自車両Ｖａの駐車時において、車室内に取り残された犬や猫などのペット、乳幼児等の生物Ｐの状態をモニタリングする。自車両Ｖａは、走行駆動源としてモータを備える電気自動車であり、運転者による運転操作がない状態で自律走行可能な自動運転車両である。
【００１３】
車室内モニタＥＣＵ１００は、車内センサ１０、エアコンＥＣＵ２０、パワーウインドウＥＣＵ３０、照合ＥＣＵ４０、自動運転制御ユニット５０、車外通信機８０、およびバッテリＥＣＵ９０等の他の車載機器と、車載ネットワークを介して相互に通信可能に接続されている。各ＥＣＵおよび制御ユニットは、プロセッサ、ＲＡＭ、メモリ装置、入出力インターフェース、およびそれらを接続するバスを備えるマイクロコンピュータを主体として構成されている。
【００１４】
車内センサ１０は、車室内の環境に関する種々の情報を検出して車室内モニタ情報として出力するセンサである。車内センサ１０は、車室内カメラ１１、マイク１２、体温計１３、および室温計１４を含む。車室内カメラ１１は、車室内を撮像し、その撮像データを逐次車室内モニタＥＣＵ１００に出力する。マイク１２は、車室内の音を検出し、検出結果を逐次車室内モニタＥＣＵ１００に出力する。体温計１３は、車室内の生体の体温を検出する。体温計１３は、生体に取り付けられる接触型のセンサでもよく、サーモグラフィ等の非接触型のセンサでもよい。室温計１４は、車室内の温度（室温）を検出し、逐次車室内モニタＥＣＵ１００に出力する。
【００１５】
エアコンＥＣＵ２０は、ＨＶＡＣユニット２１およびミスト発生装置２２の作動を制御する。ＨＶＡＣユニット２１は、送風機と、送風機からの送風空気を温度調整するヒートポンプサイクル装置とを備える空調装置である。ＨＶＡＣユニット２１は、車室内の複数個所に開口する吹出口から温度調整された送風空気を吹き出す。ＨＶＡＣユニット２１は、ダンパ等により各吹出口からの風量を個別に調整可能である。ミスト発生装置２２は、車室内に霧状の水を噴射する装置である。
【００１６】
パワーウインドウＥＣＵ３０は、自車両Ｖａの各ドア等に設けられたサイドウインドウの開閉を制御する制御装置である。パワーウインドウＥＣＵ３０は、各ドアに設置された複数のパワーウインドウモータ３１と信号ラインを介して接続されている。パワーウインドウＥＣＵ３０は、各パワーウインドウモータ３１を個別に制御可能に構成されており、複数のサイドウインドウの開度を個別に調整可能である。
【００１７】
照合ＥＣＵ４０は、電子キー等の車外の発信機から発信された信号に基づき発信機の照合を実行し、照合が成立した場合に、ドアロックの解除等の所定の車載機器の作動を許可する制御装置である。照合ＥＣＵ４０は、自車両Ｖａの各ドアハンドル等に設けられた複数のアンテナ４１と接続されている。照合ＥＣＵ４０は、アンテナ４１にて受信した発信機からの信号に基づき照合を行う。また、照合ＥＣＵ４０は、各アンテナ４１にて受信された信号の受信強度の差に基づいて、発信機の移動方向を推定可能である。
【００１８】
自動運転制御ユニット５０は、車外センサ７０および走行制御ユニット６０と通信バスを介して接続されている。自動運転制御ユニット５０は、車外センサ７０から取得した情報や、地図情報、現在位置情報等を組み合わせて自車両Ｖａの走行計画を生成する。自動運転制御ユニット５０は、生成した走行計画に基づく自車両Ｖａの制御指令を、走行制御ユニット６０に逐次出力する。
【００１９】
車外センサ７０は、自車両Ｖａの周辺環境を監視する自律センサである。車外センサ７０は、例えば車外カメラ７１、ソナー７２、ライダ、ミリ波レーダ等を含む。車外センサ７０は、自車両Ｖａの周囲に存在する人や他車両等の移動物体、および道路設置や区画線等の静止物体を検出し、検出結果を自動運転制御ユニット５０に出力する。なお、車外センサ７０は、日射量を検出する日射センサや、外気温を検出する外気温センサ等を含んでいてもよい。
【００２０】
走行制御ユニット６０は、自車両Ｖａに搭載された車載センサ群および車載アクチュエータ群と直接的又は間接的に電気接続されている。車載センサ群は、自車両Ｖａの状態を検出する複数のセンサである。車載センサ群には、例えば車速センサ、加速度センサ、ヨーレートセンサ等が含まれている。車載アクチュエータ群は、自車両Ｖａの加減速制御および操作制御等を実行する。車載アクチュエータ群には、例えば、駆動用および回生用のモータジェネレータ駆動用モータ、ブレーキアクチュエータ、並びにステアリングアクチュエータ等が含まれている。
【００２１】
走行制御ユニット６０は、プロセッサ、ＲＡＭ、メモリ装置および入出力インターフェースを有する制御回路を主体に構成された車載コンピュータである。走行制御ユニット６０は、車載センサ群の出力に基づく自車両Ｖａの状態情報を、自動運転インターフェースユニットに逐次提供する。走行制御ユニット６０は、駆動、制動および操舵等の制御指令を自動運転制御ユニット５０から取得する。走行制御ユニット６０は、取得した制御指令に基づき、車載アクチュエータ群を作動させ、走行計画に基づく自動走行を実施する。
【００２２】
車外通信機８０は、車載機器と車外システムとの無線通信を可能とする構成である。車外通信機８０は、ＬＴＥ通信モジュール８１およびＢＬＥ通信モジュール８２を備える。ＬＴＥ通信モジュール８１は、ＬＴＥ（Long Term Evolution）の通信規格に沿ったＶ２Ｎ（Vehicle to cellular Network）通信の機能を有し、車外の通信ネットワークＮＷと無線通信可能である。通信ネットワークＮＷには、病院などの救急センタのシステム等が接続されている。ＬＴＥ通信モジュール８１は、通信ネットワークＮＷを介して自車両Ｖａのユーザが携帯する端末ＭＵと無線通信可能である。なお、車外通信機８０は、ＬＴＥ通信モジュール８１に代えて、５Ｇ等の他の通信規格に沿って通信ネットワークＮＷと無線通信可能な通信モジュールを備えていてもよい。
【００２３】
ＢＬＥ通信モジュール８２は、Bluetooth Low Energy（Bluetoothは登録商標）の近距離無線通信規格に沿って通信を行うモジュールである。ＢＬＥ通信モジュール８２は、近距離無線通信により自車両Ｖａの周辺の携帯端末Ｍや、駐車された他車両Ｖｂ、充電施設ＣＳ等と相互に通信可能である。なお、車外通信機８０は、ＢＬＥ通信モジュール８２に代えて、Wi-Fi（登録商標）やZigBee（登録商標）等の他の規格に沿って近距離無線通信を行う通信モジュールを有していてもよい。
【００２４】
バッテリＥＣＵ９０は、バッテリ９２および受電コイル９１と電気的に接続されている。バッテリ９２は、受電コイル９１とリレーを介して電気的に接続されている。受電コイル９１は、外部の他車両Ｖｂや充電施設ＣＳ等の給電コイルＣＬｖ、ＣＬｃから受電した電力をバッテリ９２に出力する。バッテリＥＣＵ９０は、自車両Ｖａのバッテリ９２の挙動の監視および充放電の制御を行う。バッテリＥＣＵ９０は、バッテリ９２の残量が予め設定された閾値を下回ると、バッテリ９２の残量低下を車室内モニタＥＣＵ１００に通知する。バッテリＥＣＵ９０は、無線送電の可能な状態になると、バッテリ９２および受電コイル９１間のリレーをオンにして、無線送電によるバッテリ９２の充電を開始する。
【００２５】
車室内モニタＥＣＵ１００は、プロセッサ１０１、ＲＡＭ１０２、メモリ装置１０３、Ｉ／Ｏ、およびこれらを接続するバスを備えるマイクロコンピュータを主体として構成され、車内ＬＡＮに接続されている。車室内モニタＥＣＵ１００は、メモリ装置１０３に記憶された制御プログラムを実行することにより、室内環境の悪化への対処に関わる種々の制御を、自車両Ｖａの状況に応じて実現する。メモリ装置１０３は、コンピュータによって読み取り可能なプログラムおよびデータを非一時的に格納する非遷移的実体的記憶媒体（non-transitory tangible storage medium）である。また、非遷移的実体的記憶媒体は、半導体メモリまたは磁気ディスクなどによって実現される。
【００２６】
車室内モニタＥＣＵ１００は、上述の制御プログラムの実行により実現される機能ブロックとして、生物検知部１１０、環境判定部１２０、環境改善部１３０、残量判定部１４０、および送電要求部１５０を備える。
【００２７】
生物検知部１１０は、車内センサ１０にて取得される各種車室内モニタ情報に基づき、車室内に取り残された生物Ｐを検知する。より具体的には、生物検知部１１０は、生物Ｐに関する有無情報、種別情報、車室内における現在位置情報、生体情報等を取得する。
【００２８】
生物検知部１１０は、車室内カメラ１１の撮像データを利用した画像認識等により、生物Ｐの有無および生物Ｐの種別を判別する。生物検知部１１０は、生物Ｐの種別として、例えば人、犬、猫などといった動物の種類、および犬種、猫種といった品種等を判別する。生物Ｐに発信機Ｂが取り付けられている場合には、生物検知部１１０は、発信機Ｂからの信号に基づき生物Ｐの有無および種別を判別してもよい。
【００２９】
生物検知部１１０は、車室内における生物Ｐの現在位置を特定する。生物検知部１１０は、例えば撮像データに基づき、予め規定された車室内の複数エリアのうち生物Ｐの存在するエリアを現在位置として特定する。
【００３０】
生物検知部１１０は、体温計１３の検出した体温情報を生体情報として取得する。加えて、特に生物Ｐがペットである場合に、生物検知部１１０は、マイク１２にて検出した生物Ｐの呼吸音から生物Ｐの健康状態を推定し、生体情報として取得する。例えば生物検知部１１０は、呼吸のリズムや深さ等の呼吸状態を呼吸音から推定し、呼吸状態に基づく生物Ｐの健康状態を異常の有無等の複数段階のレベル情報として算出する。
【００３１】
環境判定部１２０は、車内センサ１０の検出情報に基づき、生物Ｐにとって好ましくない車室内の環境悪化の発生を判定する。例えば環境判定部１２０は、室温の過度な上昇を、車室内の環境悪化の発生として判定する。環境判定部１２０は、室温計１４にて検出された室温情報に基づき、室温が閾温度を上回る場合に、環境悪化が発生したと判定する。また環境判定部１２０は、室温情報に生体情報を組み合わせて環境悪化が発生したか否かを判定してもよい。
【００３２】
上述の判定に加えて、環境判定部１２０は、生体情報に基づき生物Ｐの健康状態が悪化しているか否かを判定する。例えば環境判定部１２０は、生物Ｐの体温の過度の上昇、呼吸状態の異常発生等に基づき、健康状態の悪化を判定する。環境判定部１２０は、特に後述の改善処置の開始後にこの判定を実施する。
【００３３】
環境改善部１３０は、環境判定部１２０にて環境悪化の発生が判定された場合に、バッテリ９２の電力を利用して車室内の環境を改善させる改善処置を車載機器に実行させる。例えば環境改善部１３０は、改善処置として、自律走行による自車両Ｖａの日陰への移動を自動運転制御ユニット５０に実行させる。この場合、日陰の特定は、車外センサ７０の検出情報や、地図情報、太陽の位置情報などに基づき自動運転制御ユニット５０等にて行われる。
【００３４】
また、環境改善部１３０は、改善処置として、自車両Ｖａに無線送電が可能な充電施設ＣＳの設置場所への移動を、自動運転制御ユニット５０に実行させてもよい。この場合、充電施設ＣＳの設置場所は、車外通信機８０を介した充電施設ＣＳとの通信によって取得される。また、充電のための自車両Ｖａの位置調整は、車外カメラ７１による画像認識に基づいて自動運転制御ユニット５０等にて行われる。
【００３５】
また、環境改善部１３０は、改善処置として、ＨＶＡＣユニット２１による車室内の温度調整をエアコンＥＣＵ２０に実行させてもよい。この場合、環境改善部１３０は、生物Ｐの現在エリアに吹き出す空調風の風量をそれ以外のエリアよりも増大させる等により、現在エリアの温度調整を、それ以外のエリアよりも優先させる。なお、環境改善部１３０は、温度調整としてミスト発生装置２２の作動を実行させてもよい。また、環境改善部１３０は、ＨＶＡＣユニット２１にて送風のみを実行させてもよい。
【００３６】
加えて環境改善部１３０は、上述したような改善処置の開始後に生物Ｐの健康状態の悪化が判定された場合に、自車両Ｖａの周囲の携帯端末Ｍへ向けて、ＢＬＥ通信モジュール８２から救助要請の通知を送信させる。環境改善部１３０は、救助要請を通知する場合、自車両Ｖａのドアロックの解除を照合ＥＣＵ４０に実行させる。結果として環境改善部１３０は、救助者による生物Ｐの車室内からの救助を容易にする。
【００３７】
残量判定部１４０は、改善処置の開始後に、バッテリ９２の残量低下を判定する。残量判定部１４０は、バッテリＥＣＵ９０からの残量低下通知の有無に基づき、残量が低下したか否かを判定する。
【００３８】
送電要求部１５０は、バッテリ９２の残量低下が判定された場合に、自車両Ｖａの周囲に駐車された他車両Ｖｂの車載器ＩＶＵに、電力の無線送電の実施を要求する。送電要求部１５０は、要求が許可されると、車載器ＩＶＵに対して無線送電可能な位置への移動を要請する。送電要求部１５０は、無線送電可能な状態となると、バッテリＥＣＵ９０に対して他車両Ｖｂからの受電を開始させる。
【００３９】
次に、車室内モニタＥＣＵ１００が実行する処理の一例について、図２〜図４のフローチャートを参照して説明する。車室内モニタＥＣＵ１００は、まず図２に示す改善処置の開始処理を実行する。この処理は、自車両Ｖａが駐車状態となった時点または駐車状態となって一定時間経過した時点で実行される。
【００４０】
車室内モニタＥＣＵ１００は、まずステップＳ１１０にて、車内センサ１０の検出した車室内モニタ情報を取得する。次に、ステップＳ１２０へと進み、車室内モニタ情報に基づき車室内に生物Ｐが検知されたか否かを判定する。ここで生物Ｐが検知されていないと判定された場合には、改善処置を実施する必要がないため、本フローを終了する。
【００４１】
一方で生物Ｐが検知されたと判定された場合には、ステップＳ１３０へと進み、車室内モニタ情報から生物Ｐの種別および現在位置を特定する。ステップＳ１４０では、室温情報等に基づいて、車室内の環境を推定する。ステップＳ１５０では、推定した車室内環境に基づき、車室内環境が悪化したか否かを判定する。悪化していないと判定されると、ステップＳ１５５へと進む。ステップＳ１５５では、後述の改善処置が開始されていた場合、改善処置を完了し、本フローを終了する。ステップＳ１５０およびステップＳ１５５の処理より、環境の悪化が緩和された場合に改善処置が自動的に完了される。
【００４２】
一方で車室内環境が悪化したと判定された場合には、ステップＳ１６０へと進み、改善処置を開始する。ステップＳ１６０では、例えばＨＶＡＣユニット２１による温度調整のエリア制御、自律走行による自車両Ｖａの日陰への移動等を改善処置として実行する。これらの改善処置は、並行して実行されてもよく、選択的に実行されてもよい。ステップＳ１６０にて改善処置を開始すると、本フローを終了する。以上の一連の処理は、自車両Ｖａの駐車中に繰り返し実行される。
【００４３】
次に、図３に示すバッテリ９２の管理処理について説明する。この処理は、車室内環境の改善処置が開始された場合に実行される。車室内モニタＥＣＵ１００は、まずステップＳ１７１にて、バッテリ９２の残量を取得する。次に、ステップＳ１７２にて、バッテリ９２の残量が閾値を下回るか否かを判定する。閾値を下回ると判定されると、ステップＳ１７３へと進む。ステップＳ１７３では、自車両Ｖａの周囲の他車両Ｖｂに対する送電要求を車外通信機８０から送信させる。
【００４４】
ステップＳ１７２にてバッテリ９２の残量が閾値を上回っていると判定した場合、ステップＳ１７５へと進む。ステップＳ１７５では、改善処置が完了したか否かを判定する。改善処置が完了していないと判定した場合には、改善処置の完了までにバッテリ９２の残量が不足する可能性があるため、ステップＳ１７１へと戻り、一連の処理を再度実行する。一方ステップＳ１７５にて改善処置が完了したと判定されると、一連の処理を終了する。
【００４５】
次に、図４に示す生体状態の管理処理について説明する。この処理は、車室内環境の改善処置が開始された場合に実行される。車室内モニタＥＣＵ１００は、まずステップＳ１８１にて、生物Ｐの生体情報を再取得する。次にステップＳ１８２では、再取得した生体情報に基づいて、生物Ｐの健康状態が悪化したか否かを判定する。
【００４６】
健康状態が悪化したと判定された場合、ステップＳ１８３へと進み、車外通信機８０から救助要請通知を送信させる。一方で、ステップＳ１８２にて健康状態が悪化していないと判定された場合には、ステップＳ１８５にて改善処置が完了したか否かを判定する。改善処置が完了していないと判定した場合には、改善処置の完了までに生物Ｐの健康状態が悪化する可能性があるため、ステップＳ１８１へと戻り、一連の処理を再度実行する。一方ステップＳ１８５にて改善処置が完了したと判定されると、一連の処理を終了する。
【００４７】
次に第１実施形態の車室内モニタＥＣＵ１００の構成および作用効果について説明する。
【００４８】
車室内モニタＥＣＵ１００は、車室内に残された生物Ｐを検知する生物検知部１１０と、生物Ｐにとって好ましくない車室内の環境悪化の発生を判定する環境判定部１２０を備える。車室内モニタＥＣＵ１００は、車室内の環境悪化が判定された場合に、バッテリ９２の電力を利用した改善処置を車載機器に実行させる環境改善部１３０を備える。車室内モニタＥＣＵ１００は、バッテリ９２の残量低下を判定する残量判定部１４０と、バッテリ９２の残量低下が判定された場合に、自車両Ｖａの周囲に駐車された他車両Ｖｂに、電力の無線送電の実施を要求する送電要求部１５０とを備える。
【００４９】
これによれば、車室内モニタＥＣＵ１００は、車室内の環境を改善させる改善処置を車載機器が実行中に、バッテリ９２の残量低下が生じた場合、自車両Ｖａの周囲に駐車された他車両Ｖｂに、電力の無線送電の実施を要求する。故に、環境改善部１３０は、バッテリ９２の残量が低下しても、他車両Ｖｂより送電される電力を利用して、車載機器に改善処置を継続させることができる。したがって、車室内モニタＥＣＵ１００は、自車両Ｖａの状況を考慮しつつ、室内環境の悪化に対処可能となる。
【００５０】
環境改善部１３０は、車室内の環境悪化が判定された場合に、自車両Ｖａに設けられた自動運転機能に、自律走行による日陰への移動を実行させる。これによれば、車室内モニタＥＣＵ１００は、自車両Ｖａの状況を考慮して自車両Ｖａを日陰へと移動させることで、室温の上昇を抑制できる。結果として、車室内モニタＥＣＵ１００は、生物Ｐの健康状態が悪化するリスクをより低減することができる。
【００５１】
環境改善部１３０は、車室内の環境悪化が判定された場合に、自車両Ｖａに設けられた自動運転機能に、自車両Ｖａへ無線送電が可能な充電施設ＣＳの設置場所への移動を実行させる。これによれば、車室内モニタＥＣＵ１００は、自車両Ｖａの状況を考慮して、充電施設ＣＳの設置場所への移動を実行できる。したがって、自車両Ｖａは、充電施設ＣＳからの無線送電を受けることが可能となる。結果として、車室内モニタＥＣＵ１００は、バッテリ９２の電力を利用した改善処置をより安定して継続することができる。
【００５２】
生物検知部１１０は、車室内における生物Ｐの位置を、現在エリアとして特定する。環境改善部１３０は、自車両Ｖａに搭載されたＨＶＡＣユニット２１の作動により、現在エリアの温度を、現在エリア以外の温度よりも優先的に改善させる。これによれば、車室内モニタＥＣＵ１００は、生物Ｐの存在する現在エリアを把握することで、現在エリアの温度を優先して改善することが可能となる。したがって、車室内モニタＥＣＵ１００は、より効率的な車室内環境の改善を実施できる。
【００５３】
環境判定部１２０は、環境改善部１３０による改善処置の開始後に、生物Ｐの健康状態が悪化したか否かをさらに判定する。環境改善部１３０は、生物Ｐの健康状態の悪化が判定された場合に、自車両Ｖａの周囲の携帯端末Ｍへ向けて、車外通信機８０から救助要請の通知を送信させる。これによれば、車室内モニタＥＣＵ１００は、改善処置を開始したにもかかわらず生物Ｐの健康状態が悪化した場合、携帯端末Ｍを介して自車両Ｖａの周囲の人に生物Ｐの救助要請を実施できる。したがって、車室内モニタＥＣＵ１００は、より生物Ｐの保護を優先した制御を実施可能となる。
【００５４】
環境判定部１２０は、車室内に設置されたマイク１２によって集音される音情報に基づき、生物Ｐの呼吸状態を推定し、生物Ｐの健康状態の悪化を判定する。これによれば、車室内モニタＥＣＵ１００は、生物Ｐの呼吸状態に関する情報を利用して生物Ｐの健康状態を判定できる。したがって、車室内モニタＥＣＵ１００は、生物Ｐの健康状態について、より精度の高い判定が可能となる。
【００５５】
（第２実施形態）
第２実施形態では、第１実施形態における車室内モニタＥＣＵ１００の変形例について説明する。図５〜図７において第１実施形態の図面中と同一符号を付した構成要素は、同様の構成要素であり、同様の作用効果を奏するものである。
【００５６】
第２実施形態の車室内モニタＥＣＵ１００は、機能ブロックとして、第１実施形態と同じものに加えて車外検知部１６０および生物追跡部１７０を有する。
【００５７】
車外検知部１６０は、車外センサ７０の各種検出情報に基づいて、車両の周囲に存在する人の検知情報を取得する。加えて車外検知部１６０は、自車両Ｖａの周囲に検知された人について、予め警戒不要として登録された除外条件を満たすか否かを判定する。車外検知部１６０は、例えば検知された人の所持する携帯端末ＭとＢＬＥ通信モジュール８２を介して通信を行い、携帯端末Ｍが予め登録された端末であると認証された場合に、除外条件を満たすと判定する。
【００５８】
車外検知部１６０の検知結果に基づき、環境改善部１３０は、改善処置として、サイドウインドウの開放制御をパワーウインドウＥＣＵ３０に実行させる。環境改善部１３０は、自車両Ｖａの周囲に人が検知されている場合には、自車両Ｖａの周囲に人が検知されていない場合よりも、サイドウインドウの開度を小さくする。加えて、環境改善部１３０は、自車両Ｖａの周囲に検知された人が除外条件を満たしている場合に、除外条件を満たさない人しか検知されていない場合よりも、窓の開度を大きくする。また、環境改善部１３０は、自車両Ｖａの周囲に人が検知された場合に、複数のサイドウインドウのうちで、生物Ｐの現在位置に近い一つの開度を現在位置から遠い他の一つの開度よりも小さくする。
【００５９】
生物追跡部１７０は、生物Ｐが自車両Ｖａの外部に出た場合に、自車両Ｖａから離れる生物Ｐの移動方向を記録する。具体的には、生物追跡部１７０は、照合ＥＣＵ４０にて推定された発信機Ｂの移動方向に関する情報を取得して記録する。または、生物追跡部１７０は、車外センサ７０の検出情報に基づいて生物Ｐの移動方向を推定してもよい。加えて生物追跡部１７０は、生物Ｐを連れ去った人物が存在する場合、当該人物を特定可能な情報を記録してもよい。例えば生物追跡部１７０は、車外カメラ７１の撮像データに基づいて、人物の顔や体型等のデータを記録してもよい。
【００６０】
次に第２実施形態の車室内モニタＥＣＵ１００が実行する処理の一例について、図６および図７を参照して説明する。車室内モニタＥＣＵ１００は、まず図６に示す改善処置の開始処理を実行する。図６におけるステップＳ２１０〜Ｓ２５０までの処理は、図２のステップＳ１１０〜Ｓ１５０までの処理と同様であるため、説明を省略する。
【００６１】
ステップＳ２５０にて環境が悪化したと判定された場合、まずステップＳ２６０にて、自車両Ｖａの周囲の人の検知情報を取得する。次に、ステップＳ２７０では、検知情報に基づいて自車両Ｖａの周囲の人の有無を判定する。自車両Ｖａの周囲に人が検知されたと判定された場合には、ステップＳ２８０へと進み、サイドウインドウを所定の開度で開放（例えば全開）してフローを終了する。
【００６２】
一方ステップＳ２７０にて人が検知されていると判定された場合には、ステップＳ２７５へと進み、検知された人に関して除外条件が成立するか否かを判定する。除外条件が満たされていると判定された場合には、ステップＳ２８０へと進む。一方で、除外条件が満たされていないと判定された場合には、ステップＳ２９０へと進む。ステップＳ２９０では、サイドウインドウの開度を、ステップＳ２８０よりも小さい開度で開放し、フローを終了する。
【００６３】
加えてステップＳ２９０では、ステップＳ２３０にて特定した生物Ｐの現在位置に基づき、生物Ｐに相対的に近い位置のサイドウインドウを、遠い位置のサイドウインドウよりも小さい開度で開放する。第２実施形態において、ステップＳ２６０〜Ｓ２９０の処理が、改善処置に相当する。以上の一連の処理は、自車両Ｖａの駐車中に繰り返し実行される。したがって車室内モニタＥＣＵ１００は、自車両Ｖａの周囲の人の状況に合わせて、サイドウインドウの開度を継続的に実行可能となっている。
【００６４】
次に、図７に示す移動記録処理について説明する。車室内モニタＥＣＵ１００は、図７の処理を、ステップＳ２８０またはステップＳ２９０にてサイドウインドウの開放処理が実行された場合に開始する。まずステップＳ３１０では、車室内モニタ情報を取得する。ステップＳ３２０では、車室内モニタ情報に基づき、車室内の撮像データを利用した画像認識や、発信機Ｂの位置情報等から、生物Ｐが車室内から出たか否かを判定する。
【００６５】
生物Ｐが車室内から出たと判定された場合、ステップＳ３３０へと進み、生物Ｐの移動方向を記録する。一方でステップＳ３２０にて生物Ｐが車室内に残っていると判定された場合には、ステップＳ３５０に進み、改善処置が完了したか否かを判定する。改善処置が完了していないと判定した場合には、サイドウインドウの開放された状態が維持されているため、ステップＳ３１０に戻り、一連の処理を再度実行する。ステップＳ３５０にて改善処理が完了したと判定された場合には、一連の処理を終了する。
【００６６】
次に第２実施形態の車室内モニタＥＣＵ１００の構成および作用効果について説明する。
【００６７】
第２実施形態の車室内モニタＥＣＵ１００において、環境改善部１３０は、車室内の環境悪化が判定された場合に、サイドウインドウを開ける作動を改善処置としてパワーウインドウＥＣＵ３０に実行させる。環境改善部１３０は、自車両Ｖａの周囲に人が検知された場合に、自車両Ｖａの周囲に人が検知されない場合よりも、サイドウインドウの開度を小さくする。
【００６８】
これによれば、自車両Ｖａに設けられたサイドウインドウを開ける作動をパワーウインドウＥＣＵ３０に実行させるに際し、自車両Ｖａの周囲に人の存在が検知された場合には、検知されない場合よりもサイドウインドウの開度が小さくされる。故に、車室内の環境を改善させるため、車両の窓を開けたとしても、車室内の生物Ｐが連れ去られるリスクが軽減され得る。したがって、車室内モニタＥＣＵ１００は、自車両Ｖａの状況を考慮しつつ、室内環境の悪化に対処可能となる。
【００６９】
生物検知部１１０は、車室内における生物Ｐの現在位置を特定する。環境改善部１３０は、自車両Ｖａの周囲に人が検知された場合に、自車両Ｖａの複数のサイドウインドウのうちで、生物Ｐの現在位置に近い一つの開度を現在位置から遠い他の一つの開度よりも小さくする。以上によれば、生物Ｐの現在位置に近いサイドウインドウから生物Ｐが車外へ脱出することを抑制しつつ、車室内環境の改善処置を継続することができる。
【００７０】
車室内モニタＥＣＵ１００は、生物Ｐが自車両Ｖａの外部に出た場合に、自車両Ｖａから離れる生物Ｐの移動方向を記録する生物追跡部１７０を備える。これによれば、車室内モニタＥＣＵ１００は、生物Ｐの車室内からの連れ去りまたは逃走が発生した場合でも、生物Ｐの移動方向を記録することで、生物Ｐの移動先に関する手がかりを残すことが可能となる。
【００７１】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味および範囲内での全ての変更を含むものと解されるべきである。
【００７２】
上述の実施形態のプロセッサは、１つまたは複数のＣＰＵ（Central Processing Unit）を含む処理部である。こうしたプロセッサは、ＣＰＵに加えて、ＧＰＵ（Graphics Processing Unit）およびＤＦＰ（Data Flow Processor）等を含む処理部であってよい。さらにプロセッサは、ＦＰＧＡ（Field-Programmable Gate Array）、並びにＡＩの学習および推論等の特定処理に特化したＩＰコア等を含む処理部であってもよい。こうしたプロセッサの各演算回路部は、プリント基板に個別に実装された構成であってもよく、またはＡＳＩＣ（Application Specific Integrated Circuit）およびＦＰＧＡ等に実装された構成であってもよい。
【００７３】
制御プログラムを記憶するメモリ装置には、フラッシュメモリおよびハードディスク等の種々の非遷移的実体的記憶媒体（non-transitory tangible storage medium）が採用可能である。こうした記憶媒体の形態も、適宜変更されてよい。例えば記憶媒体は、メモリカード等の形態であり、車載ＥＣＵに設けられたスロット部に挿入されて、制御回路に電気的に接続される構成であってよい。
【００７４】
本開示に記載の制御部およびその手法は、コンピュータプログラムにより具体化された１つ乃至は複数の機能を実行するようにプログラムされたプロセッサを構成する専用コンピュータにより、実現されてもよい。あるいは、本開示に記載の装置およびその手法は、専用ハードウエア論理回路により、実現されてもよい。もしくは、本開示に記載の装置およびその手法は、コンピュータプログラムを実行するプロセッサと１つ以上のハードウエア論理回路との組み合わせにより構成された１つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【００７５】
車室内モニタＥＣＵ１００は、上述の各実施形態における複数の改善処置を適宜組み合わせて実施してもよい。
【００７６】
車室内モニタＥＣＵ１００は、環境判定部１２０によって環境が悪化したと判定された場合、生物Ｐに対して水分の提供を実施してもよい。
【００７７】
車室内モニタＥＣＵ１００は、車室内に食品や電子機器等、生物Ｐ以外の熱に弱い物体が存在する場合、より低い閾温度でＨＶＡＣユニット２１を作動させて車室内の温度調整を実施してもよい。この場合、車室内モニタＥＣＵ１００は、熱に弱い物体の存在を、車室内カメラ１１の撮像データや、ユーザによる手動設定等に基づいて認識する。
【符号の説明】
【００７８】
１００  車室内モニタＥＣＵ（車室内モニタ装置）、  １１０  生物検知部、  １２０  環境判定部、  １３０  環境改善部、  １４０  残量判定部、  １５０  送電要求部、  １６０  車外検知部、  １７０  生物追跡部、  １２  マイク、  ２０  エアコンＥＣＵ（車載機器）、  ２１  ＨＶＡＣユニット（空調装置）、  ３０  パワーウインドウＥＣＵ（車載機器）、  ５０  自動運転制御ユニット（車載機器）、  ８０  車外通信機（車載通信機）、  ９２  バッテリ、  ＣＳ  充電施設、  Ｍ  携帯端末、  Ｐ  生物、  Ｖａ  自車両（車両）、  Ｖｂ  他車両。
【図１】
2020128124.tif 000003
【図２】
2020128124.tif 000004
【図３】
2020128124.tif 000005
【図４】
2020128124.tif 000006
【図５】
2020128124.tif 000007
【図６】
2020128124.tif 000008
【図７】
2020128124.tif 000009